(57)【特許請求の範囲】
【請求項１】
装弾室に装填された弾丸の発射に利用されるガスを供給するためのガス通路と、
該ガス通路にガスを供給する開状態とガスを供給しない閉状態とを選択的にとらせる開閉弁部と、
上記弾丸を発射させるべく行われるトリガー操作に連動する第１の位置から第２の位置への高速回動と、上記トリガー操作に依らない上記第１の位置から上記第２の位置への低速回動と、を行うハンマー部と、
上記第２の位置をとる上記ハンマー部に当接して該ハンマー部についての位置決めを行う位置決め部材と、
上記開閉弁部と上記ハンマー部との間に回動可能かつ移動可能に配され、上記ハンマー部が上記高速回動を行うとき、該ハンマー部における第１の部分に係合して上記ハンマー部と共に移動し、上記開閉弁部を押圧移動させて、該開閉弁部に上記ガス通路を閉状態から開状態に移行させる状態をとらせ、上記ハンマー部が上記低速回動を行うとき、該ハンマー部における第２の部分に係合して上記開閉弁部を押圧移動させない位置をとり、該開閉弁部に上記ガス通路を閉状態に維持する状態をとらせる可動連携部材と、
を備えて構成されるガス式玩具銃のガス供給機構。
【請求項２】
上記ハンマー部が、上記低速回動を該ハンマー部に対する手動操作により行うことを特徴とする請求項１記載のガス式玩具銃のガス供給機構。
【請求項３】
上記位置決め部材が、上記装弾室に対して移動可能とされたスライダ部の後端部分によって形成されることを特徴とする請求項１記載のガス式玩具銃のガス供給機構。
【請求項４】
上記ハンマー部における第１の部分が、該ハンマー部に設けられた、上記可動連携部材の端部に当接する当接面部とされ、上記ハンマー部における第２の部分が、該ハンマー部に設けられた、上記可動連携部材の端部が入り込む凹部とされることを特徴とする請求項１記載のガス式玩具銃のガス供給機構。
【請求項５】
上記可動連携部材が、上記ハンマー部から離隔した位置において軸支され、軸の周囲の回動と上記軸に対する往復移動とを行うものとされることを特徴とする請求項１記載のガス式玩具銃のガス供給機構。
【請求項６】
装弾室に装填された弾丸の発射に利用されるガスを供給するためのガス通路と、
該ガス通路にガスを供給する開状態とガスを供給しない閉状態とを選択的にとらせる開閉弁部と、
上記弾丸を発射させるべく行われるトリガー操作に連動する第１の位置から第２の位置への高速回動と、上記トリガー操作に依らない上記第１の位置から上記第２の位置への低速回動と、を行うハンマー部と、
上記第２の位置をとる上記ハンマー部に当接して該ハンマー部についての位置決めを行う位置決め部材と、
上記ハンマー部に回動可能に取り付けられるとともに、上記ハンマー部に備えられた付勢手段によって所定の回動方向に付勢され、上記ハンマー部が上記高速回動を行うとき、上記付勢手段によりもたらされる回動量が比較的少とされるもとで上記開閉弁部を押圧移動させて、該開閉弁部に上記ガス通路を閉状態から開状態に移行させる状態をとらせ、上記ハンマー部が上記低速回動を行うとき、上記付勢手段によりもたらされる回動量が比較的大とされるもとで上記開閉弁部を押圧移動させない位置をとり、該開閉弁部に上記ガス通路を閉状態に維持する状態をとらせる可動連携部材と、
を備えて構成されるガス式玩具銃のガス供給機構。
【請求項７】
上記ハンマー部が、上記低速回動を該ハンマー部に対する手動操作により行うことを特徴とする請求項６記載のガス式玩具銃のガス供給機構。
【請求項８】
上記位置決め部材が、上記装弾室に対して移動可能とされたスライダ部の後端部分によって形成されることを特徴とする請求項６記載のガス式玩具銃のガス供給機構。
【請求項９】
上記ハンマー部から離隔した位置に固定部材が配され、上記ハンマー部に備えられた付勢手段によって付勢された上記可動連携部材が、上記固定部材に当接して回動規制を受けるものとされることを特徴とする請求項６記載のガス式玩具銃のガス供給機構。
【請求項１０】
上記ハンマー部に備えられた付勢手段が、上記可動連携部材に当接する押圧部材と一端部が上記ハンマー部に規制されるとともに他端部を上記押圧部材に当接させたコイルスプリングとを含んで成ることを特徴とする請求項６記載のガス式玩具銃のガス供給機構。
【発明の詳細な説明】
【０００１】
【発明の属する技術分野】
本願の特許請求の範囲に記載された発明は、装弾室に装填された弾丸の発射に利用されるガスを供給するためのガス通路の開閉を行う開閉弁部を、ハンマー部の回動によって作動させて、ガス通路を通じてのガスの供給が行われるようにするガス式玩具銃のガス供給機構に関する。
【０００２】
【従来の技術】
遊戯銃（エアソフトガン）と称される玩具銃にあっては、通常、形状，質感に加えて、見かけ上の動作も実物と同様なものとなるように作成される。斯かる玩具銃のうち、例えば、グリップ内にガスが充填される蓄圧室が設けられ、トリガーの操作に連動したハンマーの回動により、蓄圧室に連結されたガス通路を閉状態から開状態に移行させ、その開状態とされたガス通路を通じて装弾室に供給されるガス圧により、装弾室に装填されている弾丸の発射を行うようにしたもの、さらには、ハンマーの回動により開状態とされたガス通路を通じたガス圧が、バレルに沿って配されたスライダの移動にも利用され、そのスライダの移動により、空状態となった装弾室への次弾の供給が行われるようにされたものが知られている（例えば、特許文献１参照。）。
【０００３】
特許文献１に見られる玩具銃は、ハンマ，蓄圧室及びスライダ部に加えて、トリガを引く操作に連動して回動するハンマにより殴打される発射用可動ピンと、ピストン部材及び弁部を含んで形成され、ハンマにより殴打された発射用可動ピンにより移動せしめられて、蓄圧室に連結されたガス通路を閉状態から開状態となす弁手段とを備える。弁手段により開状態とされたガス通路を通じた蓄圧室からのガス圧は、装弾室に装填されている弾丸の発射に利用されるとともにスライダ部の後退にも利用される。そして、スライダ部の後退により発射用可動ピンに押圧力を作用させる回動位置をとるハンマが、発射用可動ピンから離隔する方向に回動せしめられ、それにより、弁手段がガス通路を開状態から閉状態となすものとされる。ガス通路が閉状態にされた後においては、スライダ部が、その慣性によりさらに後退を継続し、最後退位置に到達すると、それに作用する付勢力により前進する。このスライダ部の前進により、弾倉の最上端部に保持された弾丸が装弾室に向けて搬送され、それによって、空状態となった装弾室に対する次弾の供給が行われる。
【０００４】
このような、例えば、蓄圧室等とされるガス供給源に連結されたガス通路が、ハンマー，回動するハンマーにより殴打される発射用可動ピン、及び、弁手段が用いられて開閉されるようになされたガス式玩具銃においては、通常、例えば、図１５に示される如く、ガス供給源に連結されたガス通路１１に対して弁手段１２が移動可能に配されるとともに、その弁手段１２の後方に発射用可動ピン１３が移動可能に配される。
【０００５】
そして、図１５において一点鎖線により示される如くに、弾丸発射の準備のため起き上がらされた状態（コック状態という）におかれたハンマー１４との相互係合状態におかれて、ハンマーストラット１５を通じてハンマースプリング１６の付勢力が作用せしめられるハンマー１４の回動を規制する回動レバー１７が、図示が省略されたトリガーが引かれるとハンマー１４との相互係合状態を解除し、それにより、コック状態におかれたハンマー１４が、それに作用するハンマースプリング１６の付勢力に従って、前方に高速回動するものとされる。高速回動するハンマー１４は、その殴打部１４Ａを、図１５において実線により示される如くに、ガス通路１１を閉状態となす弁手段１２から離隔した位置をとる発射用可動ピン１３の後部に接触する状態を経て、図１６に示される如く、スライダ部１８の後端部分に設けられた凹部１８Ａに入り込むものとし、それによって発射用可動ピン１３を殴打する。
【０００６】
ハンマー１４により殴打された発射用可動ピン１３は、それに巻装されたスプリング部材の付勢力に抗する方向に移動して弁手段１２に当接し、それにより、弁手段１２が、ガス通路１１を閉状態から開状態に移行させる移動を行うものとされる。
【０００７】
【特許文献１】
特開平８−２３３４９２号公報（第５−７頁、図４−図１０）
【０００８】
【発明が解決しようとする課題】
ガス式玩具銃にあっても、実銃の場合と同様に、不使用状態とされて所定の場所に保管される場合や不使用状態とされて持ち運ばれる場合等においては、一旦コック状態とされたハンマーが、手動操作によって比較的ゆっくりと前方に倒されていき、弾丸の発射に必要な、例えば、弾丸発射用ピン（ファイアリング・ピン）に打撃を与えることなく倒された状態（デコック状態という）とされる。即ち、ハンマーが、コック状態をとる位置から低速回動を行って倒されていき、デコック状態をとる位置におかれるのである。
【０００９】
斯かるもとで、図１５に示される如くの、ガス通路１１，弁手段１２，発射用可動ピン１３及びハンマー１４を含んで構成されるガス供給機構を備えた従来のガス式玩具銃においては、例えば、不使用状態とされて所定の場所に保管される場合あるいは不使用状態とされて持ち運ばれる場合、図示が省略されたトリガーが一旦引かれ、それにより回動レバー１７との相互係合が解除されたハンマー１４が、それに作用するハンマースプリング１６の付勢力を抑えるようにして、図１５において一点鎖線により示されるコック状態から、手動操作によりゆっくりと、図１５において実線により示されるデコック状態に移行せしめられ、そのデコック状態に維持される。デコック状態をとるハンマー１４は、殴打部１４Ａを発射用可動ピン１３の後部に近接あるいは接触させるが、発射用可動ピン１３を押圧移動させず、従って、弁手段１２がガス通路１１を閉状態に維持することになる位置をとり、回動レバー１７の一端に当接して、その位置に係止される。ハンマー１４がデコック状態にあるときには、ハンマースプリング１５は圧縮も伸長もされていない状態におかれて、ハンマー１４に対して不勢力を及ぼさないものとされる。
【００１０】
このようにして、従来のガス式玩具銃にあっても、不使用状態とされるときには、ハンマー１４がデコック状態に維持されるのであるが、斯かるデコック状態におかれたハンマー１４は、その機構上の状況からして、充分な安定性を有しているとは言い難いものとされる。例えば、デコック状態におかれたハンマー１４に、その後方から比較的大なる押圧力が加えられると、ハンマー１４が回動レバー１７との係合状態から外れて、あるいは、ハンマー１４に係合した回動レバー１７が変形もしくは破損等を生じて、ハンマー１４が、発射用可動ピン１３を不所望に押圧移動させ、それにより、弁手段１２にガス通路１１を閉状態から開状態にする作動を不所望に行わせてしまう虞がある。
【００１１】
そして、ハンマー１４による発射用可動ピン１３の押圧移動及びそれに伴う弁手段１２のガス通路１１を閉状態から開状態にする作動が不所望に行われる事態が生じると、ガス通路１１を通じたガス供給源からのガスの供給が不所望に行われ、例えば、そのガスによって弾丸が発射されてしまう暴発がまねかれることになってしまう。
【００１２】
斯かる点に鑑み、本願の特許請求の範囲に記載された発明は、弾丸の発射に利用されるガスを供給するためのガス通路の開閉を行う開閉弁部を、弾丸を発射させるべく行われるトリガー操作に連動したハンマー部の回動によって作動させて、ガス通路を通じたガスの供給が行われるようにしたもとで、コック状態から、弾丸を発射させるべく行われるトリガー操作に依ることなく、デコック状態に移行したハンマー部が、デコック状態を確実に維持し、不所望に加えられる押圧力によって開閉弁部を不所望に作動させてしまう事態を回避できるものとされるガス式玩具銃のガス供給機構を提供する。
【００１３】
【課題を解決するための手段】
本願の特許請求の範囲における請求項１から請求項５までのいずれかに記載された発明に係るガス式玩具銃のガス供給機構は、装弾室に装填された弾丸の発射に利用されるガスを供給するためのガス通路と、ガス通路にガスを供給する開状態とガスを供給しない閉状態とを選択的にとらせる開閉弁部と、弾丸を発射させるべく行われるトリガー操作に連動する第１の位置から第２の位置への高速回動と、弾丸を発射させるべく行われるトリガー操作に依らない第１の位置から第２の位置への低速回動と、を行うハンマー部と、第２の位置をとるハンマー部に当接してそのハンマー部についての位置決めを行う位置決め部材と、開閉弁部とハンマー部との間に回動可能かつ移動可能に配された可動連携部材とを備え、可動連携部材が、ハンマー部が高速回動を行うとき、ハンマー部における第１の部分に係合してハンマー部と共に移動し、開閉弁部を押圧移動させて、その開閉弁部にガス通路を閉状態から開状態に移行させる状態をとらせ、ハンマー部が低速回動を行うとき、ハンマー部における第２の部分に係合して開閉弁部を押圧移動させない位置をとり、その開閉弁部にガス通路を閉状態に維持する状態をとらせるものとされて、構成される。
また、本願の特許請求の範囲における請求項６から請求項１０までのいずれかに記載された発明に係るガス式玩具銃のガス供給機構は、装弾室に装填された弾丸の発射に利用されるガスを供給するためのガス通路と、ガス通路にガスを供給する開状態とガスを供給しない閉状態とを選択的にとらせる開閉弁部と、弾丸を発射させるべく行われるトリガー操作に連動する第１の位置から第２の位置への高速回動と、弾丸を発射させるべく行われるトリガー操作に依らない第１の位置から第２の位置への低速回動と、を行うハンマー部と、第２の位置をとるハンマー部に当接してそのハンマー部についての位置決めを行う位置決め部材と、上記ハンマー部に回動可能に取り付けられるとともに、上記ハンマー部に備えられた付勢手段によって所定の回動方向に付勢された可動連携部材とを備え、可動連携部材が、ハンマー部が高速回動を行うとき、付勢手段によりもたらされる回動量が比較的少とされるもとで開閉弁部を押圧移動させて、その開閉弁部にガス通路を閉状態から開状態に移行させる状態をとらせ、ハンマー部が低速回動を行うとき、付勢手段によりもたらされる回動量が比較的大とされるもとで開閉弁部を押圧移動させない位置をとり、その開閉弁部にガス通路を閉状態に維持する状態をとらせるものとされて、構成される。
【００１４】
上述の如くに構成される本願の特許請求の範囲における請求項１から請求項１０までのいずれかに記載された発明に係るガス式玩具銃のガス供給機構にあっては、ハンマー部が、弾丸を発射させるべく行われるトリガー操作に連動する高速回動と弾丸を発射させるべく行われるトリガー操作に依らない低速回動とを行うものとされる。これらのハンマー部の高速回動及び低速回動は、いずれも、コック状態からデコック状態に移行する移動とされ、デコック状態に移行したハンマー部が、位置決め部材による位置決めを受ける。
【００１５】
そして、ハンマー部が高速回動を行うときには、可動連携部材が、ハンマー部の高速回動に応じて開閉弁部を押圧移動させ、その開閉弁部にガス通路を閉状態から開状態に移行させる状態をとらせ、それにより、ガス通路を通じてのガスの供給が行われる状態として、例えば、弾丸が発射される。また、ハンマー部が低速回動を行うときには、可動連携部材が、ハンマー部の低速回動に応じて、開閉弁部を押圧移動させることなくその開閉弁部にガス通路を閉状態に維持する状態をとらせて、それにより、ガス通路を通じてのガスの供給が行われない状態とする。
【００１６】
可動連携部材は、例えば、請求項１から請求項５までのいずれかに記載された発明に係るガス式玩具銃のガス供給機構の場合のように、開閉弁部とハンマー部との間に回動可能かつ移動可能に配され、ハンマー部が高速回動を行うとき、そのハンマー部における第１の部分、例えば、当接面部に係合してハンマー部と共に移動し、開閉弁部を押圧移動させ、ハンマー部が低速回動を行うとき、そのハンマー部における第２の部分、例えば、凹部に係合して開閉弁部を押圧移動させない位置をとるもの、あるいは、例えば、請求項６から請求項１０までのいずれかに記載された発明に係るガス式玩具銃のガス供給機構の場合のように、ハンマー部に回動可能に取り付けられるとともに、ハンマー部に備えられた付勢手段によって所定の回動方向に付勢され、ハンマー部が高速回動を行うとき、付勢手段によりもたらされる回動量が比較的少とされるもとで開閉弁部を押圧移動させ、ハンマー部が低速回動を行うとき、付勢手段によりもたらされる回動量が比較的大とされるもとで開閉弁部を押圧移動させない位置をとるものとされる。
【００１７】
このような本願の特許請求の範囲における請求項１から請求項１０までのいずれかに記載された発明に係るガス式玩具銃のガス供給機構によれば、ハンマー部の高速回動及び低速回動の夫々に応じた可動連携部材の作動により、ハンマー部が高速回動を行うときには、開閉弁部がガス通路を閉状態から開状態に移行させるものとされて、ガス通路を通じてのガスの供給が行われ、それにより、例えば、弾丸が発射される状態が確実に得られることになり、また、ハンマー部が低速回動を行うときには、開閉弁部がガス通路を閉状態に維持するものとされて、ガス通路を通じてのガスの供給が行われないことになる。そして、ハンマー部は、高速回動あるいは低速回動を行ってコック状態からデコック状態に移行したときには、それに当接する位置決め部材によって機構的に位置決めされ、デコック状態を安定に維持するものとされる。その結果、低速回動を行って、開閉弁部にガス通路を閉状態に維持する状態をとらせたままデコック状態に移行したハンマー部は、位置決め部材による位置決めを受けてデコック状態を確実に維持することになり、デコック状態をとるハンマー部が不所望に加えられる押圧力によって開閉弁部を不所望に作動させてしまう事態が回避される。
【００１８】
【発明の実施の形態】
図１は、本願の特許請求の範囲における請求項１から請求項５までのいずれかに記載された発明に係るガス式玩具銃のガス供給機構の例を、それが適用されたガス式玩具銃と共に示す。
【００１９】
図１に示されるガス式玩具銃にあっては、トリガー２１，バレル部２２，バレル部２２の後端部分に設けられた装弾室２３，ハンマー部２４及びグリップ部２５を有した玩具銃本体３０と、グリップ部２５内に着脱可能に収容されたケース３１とが備えられており、バレル部２２に関連して、バレル部２２に沿う方向に移動し得るものとされたスライダ部３２が配されている。装弾室２３は、ゴム材等の弾性摩擦材で成る環状部材２３Ａの内部に形成されており、環状部材２３Ａはバレル部２２の後端部分の内側に配されている。
【００２０】
グリップ部２５には、トリガー２１から後方に向けて伸びる可動バー３３が配されており、可動バー３３は、バレル部２２に沿う方向に移動し得るものとされている。トリガー２１は、それが引かれるとき、玩具銃本体３０に設けられた当接部３４より前方となる操作開始位置から後方に向って移動し、それに伴って、可動バー３３も後方に向って移動する。斯かる可動バー３３の後端部には、リーフスプリング３５が当接しており、リーフスプリング３５は、可動バー３３にそれを前方に押圧する付勢力を作用させている。
【００２１】
スライダ部３２は、玩具銃本体３０におけるバレル部２２が設けられた部分に嵌合しており、トリガー２１が操作開始位置にあるもとでは、その前端部を玩具銃本体３０におけるバレル部２２が設けられた部分の前端部に近接させる位置である基準位置におかれる。また、スライダ部３２は、その全体がバレル部２２に沿う方向の移動を行い得るものとされたもとで、玩具銃本体３０に配されたコイルスプリング（図示省略）により、玩具銃本体３０の前方側に向けて付勢されている。
【００２２】
ハンマー部２４は、スライダ部３２の後端部分３２Ａが選択的に当接する上方側部分と複数の係合段部が設けられた下方側部分とを有しており、下方側部分が軸３７を介して玩具銃本体３０における後端部に取り付けられていて、軸３７を支軸とした回動が可能とされている。さらに、ハンマー部２４の下方側部分には、グリップ部２５の下方側部分内に配されたハンマースプリング３８にキャップ３９を介して係合する一端部を有したハンマーストラット４０の他端部が、ピン４１を介して取り付けられている。それにより、ハンマー部２４は、ハンマースプリング３８による付勢力をキャップ３９及びハンマーストラット４０を通じて受けて、図１において矢印ａにより示される如くの、上方側部分をスライダ部３２の後端部分３２Ａに向かわせる方向（ａ方向）に付勢されている。
【００２３】
斯かるハンマー部２４の下方側部分には、その前方側に凹部２４Ａが設けられており、ハンマー部２４は、グリップ部２５に対するケース３１の装着が行われた初期状態（図１に示される状態）のもとにあっては、上方側部分にスライダ部３２の後端部分３２Ａが当接するとともに、下方側部分に設けられた凹部２４Ａに可動連携部材４３の後端部４３Ａが係合する状態をもって、位置固定される。このとき、ハンマー部２４はデコック状態をとる位置にある。
【００２４】
可動連携部材４３の下方となる、ハンマー部２４の下方側部分に近接した位置には、回動レバー４４が軸４５を介して玩具銃本体３０に取り付けられている。軸４５には、可動当接部材４６も係合している。
【００２５】
可動連携部材４３には、図２に示されるように、長孔４３Ｂが設けられており、この長孔４３Ｂを貫通する軸４２を介して玩具銃本体３０に取り付けられている。また、長孔４３Ｂ内には、可動連携部材４３全体を軸４２に対して後方側に付勢するコイルスプリング４７が配されている。さらに、可動連携部材４３と玩具銃本体３０との間に、可動連携部材４３を下方に付勢するコイルスプリング４８が配されている。それにより、可動連携部材４３は、コイルスプリング４７により軸４６に対して後方側に付勢され、さらに、コイルスプリング４８により下方に付勢されるもとで、長孔４３Ｂに係合した軸４６による案内を受けて前後方向の移動が可能とされるとともに、軸４６を回動中心としての回動が可能とされる。そして、可動連携部材４３は、その後端部４３Ａをハンマー部２４に係合させる状態、及び、その前端部４３Ｃを後述される開閉弁部５０に設けられたロッド部５１の後端部に当接させる状態をとることができるものとされている。
【００２６】
回動レバー４４は、図２に示されるように、軸４５を回動中心として回動でき、ハンマー部２４の下方側部分に係合する状態をとることができる上方先端部４４Ａが設けられた、全体として湾曲形状を成すものとされていて、その下方部分４４Ｂにリーフスプリング５３が係合している。リーフスプリング５３は、回動レバー４４に、その上方先端部４４Ａをハンマー部２４の下方側部分に当接させる方向の付勢力を作用させている。
【００２７】
図１に示されるように、リーフスプリング５３は、その下端部が、リーフスプリング３５の下端部と共に、玩具銃本体３０におけるグリップ部２５内となる部分に取り付けられたものとされている。
【００２８】
一方、ケース３１は、図１に示されるように、グリップ部２５の下方端部に設けられた開口からグリップ部２５内に挿入され、その底部がグリップ部２５の下方端部に当接係合せしめられて、グリップ部２５内における位置決めが行われるものとされる。ケース３１には、装填された複数の弾丸ＢＢを上方に付勢するコイルスプリング５５が内蔵された弾倉５６，例えば、液化ガスが充填された蓄圧室５７，一端が蓄圧室５７に連結されて伸びるガス導出通路５８，ガス導出通路５８に対する開閉弁部５０、及び、ガス導出通路５８に連なる連結通路５９が形成されている。連結通路５９は、ガス導出通路５８を、スライダ部３２内に配された可動部材６０に設けられて装弾室２３に連なる、弾丸発射用ガス通路６１に連結される状態がとられるようになすものとされている。
【００２９】
ガス導出通路５８に対する開閉弁部５０は、ガス導出通路５８に対して移動可能に配されており、その位置に応じてガス導出通路５８を開閉制御する。開閉弁部５０には、図２に示されるように、環状シール部材６２が嵌合せしめられているとともにロッド部５１が一体的に設けられている。そして、開閉弁部５０は、定常時においては、図１及び図２に示される如く、ロッド部５１に装着されたコイルスプリング６３の付勢力により、ガス導出通路５８を閉状態とする位置をとる。ガス導出通路５８及び連結通路５９は、グリップ部２５内に配されるケース３１における蓄圧室５７の上方に形成されており、それに伴い、ガス導出通路５８に対する開閉弁部５０は、グリップ部２５内に配されるケース３１における蓄圧室５７の上方に配されていることになる。
【００３０】
図１に示されるように、スライダ部３２が基準位置にあって、グリップ部２５内にケース３１が位置決め装着され、装弾室２３に弾丸ＢＢが装填されているもとでは、ケース３１における蓄圧室５７の上方に形成されたガス導出通路５８が、開閉弁部５０によって閉状態とされたもとで、同じくケース３１における蓄圧室５７の上方に形成された連結通路５９を介して、装弾室２３に連なる弾丸発射用ガス通路６１に連結される。また、このときハンマー部２４は、デコック状態をとる位置におかれている。
【００３１】
上述のような図１に示されるガス式玩具銃において、ハンマー部２４，スライダ部３２の後端部分３２Ａ，可動連携部材４３，ガス導出通路５８，連結通路５９、及び、開閉弁部５０を含む部分により、本願の特許請求の範囲における請求項１から請求項６までのいずれかに記載された発明に係るガス式玩具銃のガス供給機構の一例が構成されている。
【００３２】
そして、図１に示されるガス式玩具銃にあっては、例えば、ケース３１がグリップ部２５内に装着されて位置決めされた後、未だ装弾室２３に弾丸ＢＢが装填されていないもとで、基準位置におかれたスライダ部３２が、手動操作により、可動部材６０を伴って一旦基準位置から後退せしめられた後、その手動操作から解放され、図示されていないコイルスプリングの付勢力により、可動部材６０と共に前進せしめられて、再び基準位置に戻される。
【００３３】
斯かる際、スライダ部３２の後退に伴って、弾倉５６の最上端部を閉塞していた可動部材６０が後退せしめられることによって、弾倉５６の最上端部が開状態にされる。それにより、コイルスプリング５５の付勢力により、弾倉５６内に充填された弾丸ＢＢのうち最上方位置にあったものが最上端部に押し上げられ、最上端部において保持される。
【００３４】
また、ハンマー部２４が、スライダ部３２の後退に伴ってスライダ部３２の後端部分３２Ａによって押圧され、それにより、図１及び図２に示される位置から、ハンマーストラット４０を介して伝達されるハンマースプリング３８の付勢力に抗して、ａ方向とは逆の方向（ｂ方向）に回動する。それに伴い、回動レバー４４が、リーフスプリング５３の付勢力に従う方向に回動する。そして、ｂ方向に回動するハンマー部２４は、図３に示されるように、その下方側部分に設けられた凹部２４Ａに対する可動連携部材４３の後端部４３Ａの係合が解除されて、コック状態をとる位置に到達する。そして、斯かるハンマー部２４の下方側部分に回動レバー４４の上方先端部４４Ａが係合して、ハンマー部２４と回動レバー４４とが相互位置規制状態とされ、ハンマー部２４がコック状態をとる位置に維持される。
【００３５】
また、このとき、コック状態をとる位置におかれたハンマー部２４の下方側部分が、可動連携部材４３を押し上げて軸４２を回動中心にして上方に回動させ、、可動連携部材４３に、コイルスプリング４８を圧縮する上方位置をとらせる。それにより、可動連携部材４３は、圧縮されたコイルスプリング４８による下方への付勢力を受けるが、コック状態をとる位置におかれたハンマー部２４の下方側部分によって、軸４２を回動中心とした下方への回動が阻止された状態におかれる。
【００３６】
そして、一旦後退したスライダ部３２が後退位置から前進に転じると、それに伴って可動部材６０も前進し、前進する可動部材６０が、その前端部を弾倉５６の最上端部内に挿入して、そこに保持された弾丸ＢＢを装弾室２３へと搬送する。それとともに、可動部材６０は、再び弾倉５６の最上端部を閉塞し、その前方側部分を環状部材２３Ａにより形成される装弾室２３に係合させるものとされて位置固定がなされる。その結果、図１に示されるように、装弾室２３に弾丸ＢＢが装填される。
【００３７】
弾丸ＢＢを装弾室２３に供給すべく前進するものとされたスライダ部３２が基準位置に復帰したときには、ガス導出通路５８が、開閉弁部５０によって閉状態とされたもとで、再び、連結通路５９を介して装弾室２３に連なる弾丸発射用ガス通路６１に連結されたものとされる。
【００３８】
このようにして、図１に示される如くに装弾室２３に弾丸ＢＢが装填されたもとで、トリガー２１が引かれると、それに伴って可動バー３３がリーフスプリング３５の付勢力に抗して後退する。その結果、図４に示されるように、可動バー３３の後端部が、可動当接部材４６の下方部分を介して回動レバー４４の下方部分４４Ｂを後方に押圧する移動を行い、回動レバー４４をリーフスプリング５３の付勢力に抗して回動させる。それにより、回動レバー４４の上方先端部４４Ａとハンマー部２４の下方側部分との相互係合状態が解除される。
【００３９】
回動レバー４４により位置規制された状態から解放されたハンマー部２４は、ハンマーストラット４０を介して伝達されるハンマースプリング３８の付勢力を受けて、軸３７を回動中心としたａ方向の高速回動を行う。それにより、図５に示されるように、ハンマー部２４の下方側部分と可動連携部材４３との係合状態が解除され、可動連携部材４３がハンマー部２４の下方側部分によって押し上げられる状態から解放される。
【００４０】
その結果、可動連携部材４３が、コイルスプリング４８の付勢力に従って軸４２を回動中心とした下方への回動を行うことができる状態とされるが、下方への回動を殆ど行わず、従って、その上下方向の位置が殆ど変わらないうちに、図６に示されるように、高速回動を行って前方に倒れたハンマー部２４における当接面部２４Ｂが、可動連携部材４３の後端部４３Ａに勢いよく当接する。それにより、可動連携部材４３が、ハンマー部２４における当接面部２４Ｂにより押圧されて、軸４２と長孔４３Ｂとによる案内を受けるもとで前方側に移動する。
【００４１】
このとき、図６に示されるように、可動連携部材４３の前端部４３Ｃが、開閉弁部５０と一体的に設けられたロッド部５１の後端部に当接してロッド部５１を押圧し、可動連携部材４３の前方側への移動が、コイルスプリング６３の付勢力に抗した開閉弁部５０の前方側への移動を生じる。開閉弁部５０の前方側への移動は、それに嵌合された環状シール部材６２の前方側への移動を伴い、それにより、開閉弁部５０は、ガス導出通路５８を閉状態から開状態に移行させる。
【００４２】
それにより、蓄圧室５７からのガスが、開状態とされたガス導出通路５８を通じ、さらに、連結通路５９を通じて、装弾室２３に通じた弾丸発射用ガス通路６１に供給される。そして、このように、開閉弁部５０によって開状態とされたガス導出通路５８を通じて弾丸発射用ガス通路６１に供給されるガスが、装弾室２３に装填された弾丸ＢＢに及ぼすガス圧によって、弾丸ＢＢが装弾室２３からバレル部２２内へ移動することになる、弾丸ＢＢの装弾室２３からの発射が行われる。
【００４３】
上述のように、当接面部２４Ｂを可動連携部材４３の後端部４３Ａに当接させて、可動連携部材４３を前方側に移動させるハンマー部２４は、当接面部２４Ｂより上方の部分にスライダ部３２の後端部分３２Ａが当接することにより位置固定され、デコック状態をとる位置におかれる。また、このとき、図６に示されるように、開閉弁部５０のロッド部５１の下方に配されたロック部材６５が、コイルスプリング６６による付勢力を受けて上方に移動し、ロッド部５１の後方部分に係合して、開閉弁部５０をガス導出通路５８に開状態をとらせる位置に規制する。
【００４４】
その後、例えば、ガスブローバック動作が行われ、ガス圧によってスライダ部３２が後退する。この後退するスライダ部３２の後端部分３２Ａにより、ハンマー部２４が、ハンマーストラット４０を介して伝達されるハンマースプリング３８の付勢力に抗してｂ方向に回動せしめられる。それに伴い、可動連携部材４３が、コイルスプリング４７の付勢力により、軸４２と長孔４３Ｂとによる案内を受けるもとで後方側に移動し、その前端部４３Ｃが開閉弁部５０のロッド部５１の後端部を押圧する状態から解放される。
【００４５】
このとき、スライダ部３２の後退距離が予め定められたものになるまでは、開閉弁部５０は、そのロッド部５１の後方部分に係合するロック部材６５によって、ガス導出通路５８を開状態にする位置に規制される。そして、スライダ部３２の後退距離が予め定められたものになると、図示が省略された部材を介して、ロック部材６５がコイルスプリング６６の付勢力に抗して押し下げられ、開閉弁部５０のロッド部５１の後方部分との係合を解除する。それにより、開閉弁部５０が、コイルスプリング６３の付勢力により後方に移動し、ガス導出通路５８を閉状態にする位置に戻る。
【００４６】
ガス圧によるスライダ部３２の後退に伴って可動部材６０も後退する。そして、スライダ部３２は、最後方位置に達する前にガス圧を受けない状態とされてその後慣性により最後方位置に達する。最後方位置に達したスライダ部３２は、図示が省略されたコイルスプリングの付勢力を受けて、後退した可動部材６０と共に前進し、基準位置に戻る。スライダ部３２が最後方位置から基準位置に戻るとき、スライダ部３２と共に前進する可動部材６０が、装弾室２３に次の弾丸ＢＢの装填を行う。
【００４７】
このようにして、ガス圧により後退して最後方位置に達するスライダ部３２の後端部分３２Ａにより、ハンマー部２４が、コック状態をとる位置までｂ方向に回動するものとされ、その結果、図３に示されるような状態がとられて、次弾の発射が準備される。
【００４８】
一方、ハンマー部２４が、図３に示されるようなコック状態をとる位置におかれているとき、ハンマー部２４に、弾丸発射を起こさせることなく、デコック状態をとらせる場合には、図７に示されるように、コック状態をとる位置におかれたハンマー部２４が、手動操作により、回動レバー４４の上方先端部４４Ａとハンマー部２４の下方側部分との相互係合状態が解除されたもとで、軸３７を回動中心にしてａ方向に低速回動するものとされる。このとき、ａ方向に低速回動するハンマー部２４の下方側部分と可動連携部材４３との係合状態が解除され、可動連携部材４３がハンマー部２４の下方側部分によって押し上げられる状態から解放される。
【００４９】
その結果、可動連携部材４３が、コイルスプリング４８の付勢力に従って軸４２を回動中心とした下方への回動を行うことができる状態とされ、低速回動するハンマー部２４により妨げられることなく、軸４２を回動中心とした下方への回動を行って、図７に示されるような下方位置をとる。その後、ａ方向に低速回動するハンマー部２４は、デコック状態をとる位置に向かうが、その際、図７に示されるように、下方位置をとる可動連携部材４３の後端部４３Ａが、ハンマー部２４の下方側部分における当接面部２４Ｂの下方となる位置に設けられた凹部２４Ａに入り込んで係合する。
【００５０】
それゆえ、ハンマー部２４が、図７に示される位置からさらにａ方向に回動してデコック状態をとる位置に達しても、可動連携部材４３がハンマー部２４によって前方側に押圧される事態は生じない。従って、可動連携部材４３は、前方側に移動することなく下方位置を維持し、可動連携部材４３の前端部４３Ｃが、開閉弁部５０にそれと一体的に設けられたロッド部５１の後端部を押圧する状態はとられない。
【００５１】
その結果、図２に示されるような、ハンマー部２４がデコック状態をとる位置におかれる状態がとられ、開閉弁部５０がガス導出通路５８を閉状態に維持するものとされて、蓄圧室５７からガス導出通路５８及び連結通路５９を通じてのガスの供給は行われず、装弾室２３に装填された弾丸ＢＢの発射は生じない。即ち、コック状態をとる位置におかれたハンマー部２４が、弾丸発射を起こさせることなく、デコック状態をとる位置に移行されるのである。
【００５２】
図２に示されるようなデコック状態をとる位置におかれたハンマー部２４は、その凹部２４Ａに可動連携部材４３の先端部４３Ａが係合するとともに、その上方側部分にスライダ部３２の後端部分３２Ａが当接して、それによる位置決めがなされたものとされる。したがって、デコック状態をとる位置におかれたハンマー部２４は、スライダ部３２の後端部分３２Ａにより機構的に位置決めがなされた極めて安定な状態におかれることになり、例えば、その後方から比較的大なる外力が加えられたとしても、それによって、不所望に可動連携部材４３を前方側に押圧し、開閉弁部５０をガス導出通路５８に開状態をとらせるものとしてしまう事態をまねくことはない。
【００５３】
図８は、本願の特許請求の範囲における請求項６から請求項１０までのいずれかに記載された発明に係るガス式玩具銃のガス供給機構の例を、それが適用されたガス式玩具銃と共に示す。
【００５４】
図８に示されるガス式玩具銃にあっては、トリガー７１，バレル部７２，バレル部７２の後端部分に設けられた装弾室７３，ハンマー部７４及びグリップ部７５を有した玩具銃本体８０と、グリップ部７５内に着脱可能に収容されたケース８１とが備えられており、バレル部７２に関連して、バレル部７２に沿う方向に移動し得るものとされたスライダ部８２が配されている。装弾室７３は、ゴム材等の弾性摩擦材で成る環状部材７３Ａの内部に形成されており、環状部材７３Ａはバレル部７２の後端部分の内側に配されている。
【００５５】
グリップ部７５には、トリガー７１から後方に向けて伸びる可動バー８３が配されており、可動バー８３は、バレル部７２に沿う方向に移動し得るものとされている。トリガー７１は、軸８４を介して玩具銃本体８０に取り付けられており、それが引かれるとき、図８に示される操作開始位置から軸８４を回動中心として後方に回動し、それに伴って、可動バー８３も後方に向って移動する。
【００５６】
スライダ部８２は、玩具銃本体８０におけるバレル部７２が設けられた部分に嵌合しており、トリガー７１が操作開始位置にあるもとでは、その前端部を玩具銃本体８０におけるバレル部７２が設けられた部分の前端部に近接させる位置である基準位置におかれる。また、スライダ部８２は、その全体がバレル部７２に沿う方向の移動を行い得るものとされたもとで、玩具銃本体８０に配されたコイルスプリング（図示省略）により、玩具銃本体８０の前方側に向けて付勢されている。
【００５７】
ハンマー部７４は、スライダ部８２の後端部分８２Ａが選択的に当接する上方側部分と複数の係合段部が設けられた下方側部分とを有しており、下方側部分が軸８５を介して玩具銃本体８０における後端部に取り付けられていて、軸８５を回動中心とした回動が可能とされている。さらに、ハンマー部７４の下方側部分には、グリップ部７５の下方側部分内に配されたハンマースプリング８６により付勢されたハンマーストラット８７の上端部が係合している。それにより、ハンマー部７４は、ハンマースプリング８６による付勢力をハンマーストラット８７を通じて受けて、図８において矢印ａにより示される如くの、上方側部分をスライダ部８２の後端部分８２Ａに向かわせる方向（ａ方向）に付勢されている。
【００５８】
斯かるハンマー部７４の中間部分には、図９に示されるように、その前方側に向かって開口する有底孔が設けられていて、その有底孔にコイルスプリング８８によって付勢された押圧ピン８９が、有底孔に対して移動可能に配されているとともに、可動連携部材９０が軸９１を介して回動可能に取り付けられていて、可動連携部材９０の後端部９０Ａに押圧ピン８９が当接している。そして、ハンマー部７４は、グリップ部７５に対するケース８１の装着が行われた初期状態（図８に示される状態）のもとにあっては、上方側部分にスライダ部８２の後端部分８２Ａが当接する状態におかれ、スライダ部８２の後端部分８２Ａによって位置固定される。このとき、ハンマー部７４はデコック状態をとる位置にある。
【００５９】
可動連携部材９０の下方となる位置には、回動レバー９２が、その下方部分が軸９３を介して玩具銃本体８０に取り付けられて、玩具銃本体８０に対して回動可能とされている。この回動レバー９２は、全体が軸９３から上方に向けて伸びており、図９に示されるように、その上方先端部９２Ａがハンマー部７４の下方側部分の近傍にまで達している。上方先端部９２Ａは、ハンマー部７４の下方側部分に係合する状態をとることができる。そして、回動レバー９２は、その下方部分にハンマースプリング８６の下端部が係合しており、ハンマースプリング８６によって、軸９３を回動中心として後方に回動するように付勢されている。
【００６０】
図９に示されるように、可動連携部材９０の近傍には、玩具銃本体８０から突出する軸９４が配されており、可動連携部材９０は、その後端部９０Ａにハンマー部７４に配された押圧ピン８９が当接するもとで、その上面側部分を軸９４に当接させる状態をとり得るものとされている。
【００６１】
一方、ケース８１は、グリップ部７５の下方端部に設けられた開口から、図８に示されるように、グリップ部７５内に挿入され、その底部がグリップ部７５の下方端部に当接係合せしめられて、グリップ部７５内における位置決めが行われるものとされる。ケース８１には、装填された複数の弾丸ＢＢを上方に付勢するコイルスプリング９５が内蔵された弾倉９６，例えば、液化ガスが充填された蓄圧室９７，一端が蓄圧室９７に連結されて伸びるガス導出通路９８，ガス導出通路９８に対する開閉弁部９９、及び、ガス導出通路９８に連なる連結通路１００が形成されている。連結通路１００は、ガス導出通路９８を、スライダ部８２内に配された可動部材１０１に設けられて装弾室７３に連なる、弾丸発射用ガス通路１０２に連結される状態がとられるようになすものとされている。
【００６２】
ガス導出通路９８に対する開閉弁部９９は、ガス導出通路９８に対して移動可能に配されており、その位置に応じてガス導出通路９８を開閉制御する。開閉弁部９９には、図９に示されるように、環状シール部材１０５が嵌合せしめられているとともにロッド部１０６が一体的に設けられている。そして、開閉弁部９９は常時コイルスプリング１０７の付勢力を受けており、定常時においては、図８及び図９に示される如く、コイルスプリング１０７の付勢力によって、ガス導出通路９８を閉状態とする位置をとる。ガス導出通路９８及び連結通路１００は、グリップ部７５内に配されるケース８１における蓄圧室９７の上方に形成されており、それに伴い、ガス導出通路９８に対する開閉弁部９９は、グリップ部７５内に配されるケース８１における蓄圧室９７の上方に配されていることになる。
【００６３】
図８に示されるように、スライダ部８２が基準位置にあって、グリップ部７５内にケース８１が位置決め装着され、装弾室７３に弾丸ＢＢが装填されているもとでは、ケース８１における蓄圧室９７の上方に形成されたガス導出通路９８が、開閉弁部９９によって閉状態とされたもとで、同じくケース８１における蓄圧室９７の上方に形成された連結通路１００を介して、装弾室７３に連なる弾丸発射用ガス通路１０２に連結される。また、このときハンマー部７４は、デコック状態をとる位置におかれている。
【００６４】
上述のような図８に示されるガス式玩具銃において、ハンマー部７４，スライダ部８２の後端部分８２Ａ，可動連携部材９０，ガス導出通路９８，開閉弁部９９及び連結通路１００を含む部分により、本願の特許請求の範囲における請求項１から請求項３まで及び請求項７から請求項９までのいずれかに記載された発明に係るガス式玩具銃のガス供給機構の一例が構成されている。
【００６５】
そして、図８に示されるガス式玩具銃にあっては、例えば、ケース８１がグリップ部７５内に装着されて位置決めされた後、未だ装弾室７３に弾丸ＢＢが装填されていないもとで、基準位置におかれたスライダ部８２が、手動操作により、可動部材１０１を伴って一旦基準位置から後退せしめられた後、その手動操作から解放され、図示されていないコイルスプリングの付勢力により、可動部材１０１と共に前進せしめられて、再び基準位置に戻される。
【００６６】
斯かる際、スライダ部８２の後退に伴って、弾倉９６の最上端部を閉塞していた可動部材１０１が後退せしめられることによって、弾倉９６の最上端部が開状態にされる。それにより、コイルスプリング９５の付勢力により、弾倉９６内に充填された弾丸ＢＢのうち最上方位置にあったものが最上端部に押し上げられ、最上端部において保持される。
【００６７】
また、ハンマー部７４が、スライダ部８２の後退に伴ってスライダ部８２の後端部分８２Ａによって押圧され、それにより、図８及び図９に示される位置から、ハンマーストラット８７を介して伝達されるハンマースプリング８６の付勢力に抗して、ａ方向とは逆の方向（ｂ方向）に回動する。それに伴い、回動レバー９２が、ハンマースプリング８６の付勢力に従って時計回りに僅かに回動する。そして、ｂ方向に回動するハンマー部７４は、図１０に示されるように、その中間部分に配された押圧ピン８９が可動連携部材９０の後端部９０Ａに当接した状態のもとに、コック状態をとる位置に到達する。そして、斯かるハンマー部７４の下方側部分に回動レバー９２の上方先端部９２Ａが係合し、それにより、ハンマー部７４と回動レバー９２とが相互位置規制状態とされ、ハンマー部７４はコック状態をとる位置に維持される。
【００６８】
また、このとき、軸９１を介してハンマー部７４に回動可能に取り付けられた可動連携部材９０は、その後端部９０Ａが押圧ピン８９によって押圧されることにより軸９１を回動中心としてその前端部９０Ｂを上昇させる方向に回動させる付勢力が与えられるが、図１０に示されるように、その上面側部分が軸９４に当接し、それにより回動が阻止される状態におかれる。
【００６９】
そして、一旦後退したスライダ部８２が後退位置から前進に転じると、それに伴って可動部材１０１も前進し、前進する可動部材１０１が、その前端部を弾倉９６の最上端部内に挿入して、そこに保持された弾丸ＢＢを装弾室７３へと搬送する。それとともに、可動部材１０１は、再び弾倉９６の最上端部を閉塞し、その前方側部分を環状部材７３Ａにより形成される装弾室７３に係合させるものとされて位置固定がなされる。その結果、図８に示されるように、装弾室７３に弾丸ＢＢが装填される。
【００７０】
弾丸ＢＢを装弾室７３に供給すべく前進するものとされたスライダ部８２が基準位置に復帰したときには、ガス導出通路９８が、開閉弁部９９によって閉状態とされたもとで、再び、連結通路１００を介して装弾室７３に連なる弾丸発射用ガス通路１０２に連結されたものとされる。
【００７１】
このようにして、図８に示される如くに装弾室７３に弾丸ＢＢが装填されたもとで、トリガー７１が引かれると、それに伴って可動バー８３が移動して、回動レバー９２に、ハンマースプリング８６の付勢力に抗しての軸９３を可動中心とする反時計回りの回動を、僅かに生じさせる。その結果、図１１に示されるように、回動レバー９２の上方先端部９２Ａとハンマー部７４の下方側部分との相互係合状態が解除される。
【００７２】
回動レバー９２により位置規制された状態から解放されたハンマー部７４は、ハンマーストラット８７を介して伝達されるハンマースプリング８６の付勢力を受けて、軸８５を回動中心としたａ方向の高速回動を行う。このとき、軸９１を介してハンマー部７４に取り付けられた可動連携部材９０も、ハンマー部７４に伴って反時計回りの高速回動を行う。それにより、図１２に示されるように、可動連携部材９０が、それ自身の慣性作用により、上面側部分を軸９４からその下方側に離隔させる下方位置をとる状態におかれ、その前端部９０Ｂを開閉弁部９９と一体的に設けられたロッド部１０６の後端部に当接させる。
【００７３】
そして、軸８５を回動中心としたａ方向の高速回動を行うハンマー部７４は、図１３に示されるように、その上方側部分にスライダ部８２の後端部分８２Ａが当接するデコック位置に到達するが、その際、後端部９０Ａに押圧ピン８９が当接し、前端部９０Ｂが開閉弁部９９と一体的に設けられたロッド部１０６の後端部に当接するものとされた可動連携部材９０が、ロッド部１０６を押圧して開閉弁部９９の前方側への移動を生じさせる。開閉弁部９９の前方側への移動は、それに嵌合された環状シール部材１０５の前方側への移動を伴い、それにより、開閉弁部９９は、ガス導出通路９８を閉状態から開状態に移行させる。
【００７４】
それにより、蓄圧室９７からのガスが、開状態とされたガス導出通路９８を通じ、さらに、連結通路１００を通じて、装弾室７３に通じた弾丸発射用ガス通路１０２に供給される。そして、このように、開閉弁部９９によって開状態とされたガス導出通路９８を通じて弾丸発射用ガス通路１０２に供給されるガスが、装弾室７３に装填された弾丸ＢＢに及ぼすガス圧によって、弾丸ＢＢが装弾室７３からバレル部７２内へ移動することになる、弾丸ＢＢの装弾室７３からの発射が行われる。
【００７５】
上述のようにして、ハンマー部７４がコック状態をとる位置からａ方向に高速回動してデコック状態をとる位置に移行し、軸９１を介してハンマー部７４に取り付けられた可動連携部材９０により開閉弁部９９が押圧され、それにより開閉弁部９９が前方側に移動してガス導出通路９８を開状態にするとき、図１３に示されるように、開閉弁部９９のロッド部１０６の下方に配されたロック部材１１０が、コイルスプリング１１１による付勢力を受けて上方に移動し、ロッド部１０６の後端部に係合して、開閉弁部９９をガス導出通路９８に開状態をとらせる位置に規制する。
【００７６】
その後、例えば、ガスブローバック動作が行われ、ガス圧によってスライダ部８２が後退する。この後退するスライダ部８２の後端部分８２Ａにより、ハンマー部７４が、ハンマーストラット８７を介して伝達されるハンマースプリング８６の付勢力に抗してｂ方向に回動せしめられる。それに伴い、軸９１を介してハンマー部７４に取り付けられた可動連携部材９０が、ハンマー部７４のｂ方向の回動に伴って時計回りに回動し、その前端部９０Ｂが開閉弁部９９のロッド部１０６の後端部を押圧する状態から解放される。
【００７７】
このとき、スライダ部８２の後退距離が予め定められたものになるまでは、開閉弁部９９は、そのロッド部１０６の後端部に係合するロック部材１１０によって、ガス導出通路９８を開状態にする位置に規制される。そして、スライダ部８２の後退距離が予め定められたものになると、図示が省略された部材を介して、ロック部材１１０がコイルスプリング１１１の付勢力に抗して押し下げられ、開閉弁部９９のロッド１０６の後端部との係合を解除する。それにより、開閉弁部９９が、コイルスプリング１０７の付勢力により後方側に移動し、ガス導出通路９８を閉状態にする位置に戻る。
【００７８】
ガス圧によるスライダ部８２の後退に伴って可動部材１０１も後退する。そして、スライダ部８２は、最後方位置に達する前にガス圧を受けない状態とされてその後慣性により最後方位置に達する。最後方位置に達したスライダ部８２は、図示が省略されたコイルスプリングの付勢力を受けて、後退した可動部材１０１と共に前進し、基準位置に戻る。スライダ部８２が最後方位置から基準位置に戻るとき、スライダ部８２と共に前進する可動部材１０１が、装弾室７３に次の弾丸ＢＢの装填を行う。
【００７９】
このようにして、ガス圧により後退して最後方位置に達するスライダ部８２の後端部分８２Ａにより、ハンマー部７４が、コック状態をとる位置までｂ方向に回動するものとされ、その結果、図１０に示されるような状態がとられて、次弾の発射が準備される。
【００８０】
一方、ハンマー部７４が、図１０に示されるようなコック状態をとる位置におかれているとき、ハンマー部７４に、弾丸発射を起こさせることなく、デコック状態をとらせる場合には、図１４に示されるように、コック状態をとる位置におかれたハンマー部７４が、手動操作により、回動レバー９２の上方先端部９２Ａとハンマー部７４の下方側部分との相互係合状態が解除されたもとで、軸８５を回動中心にしてａ方向に低速回動するものとされる。このとき、軸９１を介してハンマー部７４に取り付けられた可動連携部材９０も、ａ方向に低速回動するハンマー部７４に伴って反時計回りの低速回動を行う。このとき、可動連携部材９０の慣性作用は極めて小であり、可動連携部材９０は、図１４に示されるように、その後端部９０Ａに当接する押圧ピン８９による押圧によって生じる付勢力を受け、ハンマー部７４に対して相対的に軸９１を回動中心として時計回りに回動し、その上面側部分を軸９４に当接させた状態を維持する。それにより、可動連携部材９０は、図１４に示されるように、その前端部９０Ｂを開閉弁部９９と一体的に設けられたロッド部１０６の後端部に当接させない。
【００８１】
そして、軸８５を回動中心としたａ方向の低速回動を行うハンマー部７４は、図９に示されるように、その上方側部分にスライダ部８２の後端部分８２Ａが当接するデコック位置に到達するが、その際、後端部９０Ａに押圧ピン８９が当接し、上面側部分を軸９４に当接させた可動連携部材９０は、上方位置をとり、その前端部９０Ｂを開閉弁部９９と一体的に設けられたロッド部１０６の後端部に当接させない状態におかれる。それゆえ、ハンマー部７４が図９に示されるデコック状態をとる位置に達しても、可動連携部材９０が開閉弁部９９を前方側に移動させる事態は生じない。
【００８２】
その結果、図９に示されるような、ハンマー部７４がデコック状態をとる位置におかれる状態がとられ、開閉弁部９９がガス導出通路９８を閉状態に維持するものとされて、蓄圧室９７からガス導出通路９８及び連結通路１００を通じてのガスの供給は行われず、装弾室７３に装填された弾丸ＢＢの発射は生じない。即ち、コック状態をとる位置におかれたハンマー部７４が、弾丸発射を起こさせることなく、デコック状態をとる位置に移行されるのである。
【００８３】
図９に示されるようなデコック状態をとる位置におかれたハンマー部７４は、その上方側部分にスライダ部８２の後端部分８２Ａが当接して、それによる位置決めがなされたものとされる。従って、デコック状態をとる位置におかれたハンマー部７４は、スライダ部８２の後端部分８２Ａにより機構的に位置決めがなされた極めて安定な状態におかれることになり、例えば、その後方から比較的大なる外力が加えられたとしても、それによって、不所望に可動連携部材９０によって開閉弁部９９が前方側に押圧され、開閉弁部９９がガス導出通路９８を開状態にしてしまうことになる事態をまねくことはない。
【００８４】
上述の図１に示される例におけるハンマー部２４，スライダ部３２の後端部分３２Ａ，可動連携部材４３，ガス導出通路５８，連結通路５９、及び、開閉弁部５０を含む部分の構成、及び、図８に示される例におけるハンマー部７４，スライダ部８２の後端部分８２Ａ，可動連携部材９０，ガス導出通路９８，連結通路１００、及び、開閉弁部９９を含む部分の構成は、本願の特許請求の範囲における請求項１〜請求項６のいずれか，及び、本願の特許請求の範囲における請求項１〜請求項３及び請求項７〜請求項９までのいずれかに記載された発明に係るガス式玩具銃のガス供給機構が備えるべき構成の要部を、例示するものであって、それらを限定するものではない。
【００８５】
【発明の効果】
以上の説明から明らかな如く、本願の特許請求の範囲における請求項１から請求項１０までのいずれかに記載された発明に係るガス式玩具銃のガス供給機構によれば、ハンマー部の高速回動及び低速回動の夫々に応じた可動連携部材の作動により、ハンマー部が高速回動を行うときには、開閉弁部がガス通路を閉状態から開状態に移行させるものとされて、ガス通路を通じてのガスの供給が行われ、それにより、例えば、弾丸が発射される状態が確実に得られることになり、また、ハンマー部が低速回動を行うときには、開閉弁部がガス通路を閉状態に維持するものとされて、ガス通路を通じてのガスの供給が行われないことになる。そして、ハンマー部は、高速回動あるいは低速回動を行ってコック状態からデコック状態に移行したときには、それに当接する位置決め部材によって機構的に位置決めされ、デコック状態を安定に維持するものとされる。その結果、低速回動を行って、開閉弁部にガス通路を閉状態に維持する状態をとらせたままデコック状態に移行したハンマー部は、位置決め部材による位置決めを受けてデコック状態を確実に維持することになり、デコック状態をとるハンマー部が不所望に加えられる押圧力によって開閉弁部を不所望に作動させてしまう事態を生じないことになる。
【図面の簡単な説明】
【図１】  本願の特許請求の範囲における請求項１から請求項５までのいずれかに記載された発明に係るガス式玩具銃のガス供給機構の一例を、それが適用されたガス式玩具銃の例と共に示す一部破断側面図である。
【図２】  図１に示されるガス供給機構の一例の構成及び動作説明に供される断面図である。
【図３】  図１に示されるガス供給機構の一例の構成及び動作説明に供される断面図である。
【図４】  図１に示されるガス供給機構の一例の構成及び動作説明に供される断面図である。
【図５】  図１に示されるガス供給機構の一例の構成及び動作説明に供される断面図である。
【図６】  図１に示されるガス供給機構の一例の構成及び動作説明に供される断面図である。
【図７】  図１に示されるガス供給機構の一例の構成及び動作説明に供される断面図である。
【図８】  本願の特許請求の範囲における請求項６から請求項１０までのいずれかに記載された発明に係るガス式玩具銃のガス供給機構の一例を、それが適用されたガス式玩具銃の例と共に示す一部破断側面図である。
【図９】  図８に示されるガス供給機構の一例の構成及び動作説明に供される断面図である。
【図１０】  図８に示されるガス供給機構の一例の構成及び動作説明に供される断面図である。
【図１１】  図８に示されるガス供給機構の一例の構成及び動作説明に供される断面図である。
【図１２】  図８に示されるガス供給機構の一例の構成及び動作説明に供される断面図である。
【図１３】  図８に示されるガス供給機構の一例の構成及び動作説明に供される断面図である。
【図１４】  図８に示されるガス供給機構の一例の構成及び動作説明に供される断面図である。
【図１５】  従来のガス式玩具銃のガス供給機構の一例の構成及び動作説明に供される断面図である。
【図１６】  従来のガス式玩具銃のガス供給機構の一例の構成及び動作説明に供される断面図である。
【符号の説明】
２３，７３・・・装弾室，  ２４，７４・・・ハンマー部，  ３０，８０・・・玩具銃本体，  ３２，８２・・・スライダ部，  ３２Ａ，８２Ａ・・・スライダ部の後端部分，  ４３，９０・・・可動連携部材，  ４７・・・スプリング部材，  ４８，８８・・・コイルスプリング，  ５０，９９・・・開閉弁部，  ５７，９７・・・蓄圧室，  ５８，９８・・・ガス導出通路，  ５９，１００・・・連結通路，  ８９・・・押圧ピン
【図２】
0003711282.tif 000002
【図３】
0003711282.tif 000003
【図４】
0003711282.tif 000004
【図５】
0003711282.tif 000005
【図７】
0003711282.tif 000006
【図８】
0003711282.tif 000007
【図９】
0003711282.tif 000008
【図１０】
0003711282.tif 000009
【図１１】
0003711282.tif 000010
【図１２】
0003711282.tif 000011
【図１３】
0003711282.tif 000012
【図１４】
0003711282.tif 000013
【図１５】
0003711282.tif 000014
【図１６】
0003711282.tif 000015
【図１】
0003711282.tif 000016
【図６】
0003711282.tif 000017